(57)【要約】      （修正有）【課題】木屑など植物由来の燃料を熱源とすることによって、大気中の二酸化炭素総量を増加させることがない塗装設備を提供する。【解決手段】木屑、砂糖黍の絞り滓、とうもろこしの茎等のバイオマスを燃料として使用するバイオマス燃焼炉１の排出熱を使用して熱媒油を加熱する熱媒油ボイラー２と、熱交換器３ａを有する脱脂槽３、熱交換器４ａを有する化成槽４、熱交換器５ａを有する湯洗槽５により構成される塗装前処理装置６と、熱交換器７ａを有する乾燥炉７とを備えている。熱媒油ボイラー２により３００℃程度まで加熱された高温の熱媒油が熱媒油配管１１を介して熱交換器７ａと温水タンク９とに循環供給される。温水タンク９で熱媒油により加熱された高温水が給湯配管８を介して脱脂槽３、化成槽４、湯洗槽５内の処理液や洗浄液を加温する。熱交換器７ａで加熱された高温空気がエアダクト１０を介して乾燥炉７に循環供給され、被塗物を加熱乾燥させる。【選択図】図１
0003167905.tif 000002
【実用新案登録請求の範囲】
【請求項１】
バイオマス燃焼炉で発生した熱によって加熱された熱媒油及び／又は水蒸気を熱源として使用することを特徴とするバイオマスボイラー熱源の塗装設備。
【考案の詳細な説明】
【技術分野】
【０００１】
本考案は、塗装前処理装置、塗装装置、乾燥炉等を含むバイオマスボイラー熱源の塗装設備に関するものである。
【背景技術】
【０００２】
塗装設備を構成する塗装前処理装置、電着塗装装置やスプレー式塗装ブース等の塗装装置において、薬液や洗浄液の加温や空調用空気の加温のために水蒸気が使用される。塗装設備を構成する焼付乾燥炉や水切乾燥炉等の乾燥装置において、被塗物の乾燥のために高温空気が使用される。塗装設備で使用される水蒸気や高温空気を生成するために、一般に化石燃料を用いたボイラーや燃焼炉が使用される。
【先行技術文献】
【特許文献】
【０００３】
【特許文献１】特許第４３９９０６７号
【特許文献２】特許第３３６３１９６号
【特許文献１】特許第２５６４６９８号
【考案の概要】
【考案が解決しようとする課題】
【０００４】
化石燃料をバーナーにて燃焼させる方法は、大気中の二酸化炭素総量の増加による環境汚染を引き起こす。
本考案は、大気中の二酸化炭素総量の増加よる環境汚染を引き起こすおそれの無い塗装設備を提供することを目的とする。
【課題を解決するための手段】
【０００５】
上記課題を解決するために、本考案においては、バイオマス燃焼炉で発生した熱によって加熱された高温熱媒油及び／又は水蒸気を熱源として使用することを特徴とするバイオマスボイラー熱源の塗装設備を提供する。
木屑、砂糖黍の絞り滓、とうもろこしの茎等のバイオマスを燃料として使用するバイオマス燃焼炉は、大気中の二酸化炭素総量の増加による環境汚染を引き起こさない。
高温熱媒油を熱源として使用することにより、水蒸気や空気等の気体を熱源として使用する場合に比べて、熱源体積を減少させることが出来るので熱源の搬送路を縮径でき、塗装設備を小型化できる。
塗装設備を構成する乾燥炉に供給する高温空気の熱源として、従来の乾燥炉に付設したガスバーナーの火炎に代えて高温熱媒油を用いることにより、火災発生の危険性を除去できる。
【考案の効果】
【０００６】
本考案により、大気中の二酸化炭素総量の増加よる環境汚染を引き起こすおそれの無い塗装設備が提供される。
【図面の簡単な説明】
【０００７】
【図１】本考案の第１実施例に係るバイオマスボイラー熱源の塗装設備の構成図である。
【図２】本考案の第２実施例に係るバイオマスボイラー熱源の塗装設備の構成図である。
【考案を実施するための形態】
【０００８】
本考案の第１実施例に係るバイオマスボイラー熱源の塗装設備を説明する。
図１に示すように、本実施例に係るバイオマスボイラー熱源の塗装設備は、木屑燃焼炉１と、木屑燃焼炉１の排出熱を使用して熱媒油を加熱する熱媒油ボイラー２と、熱交換器３ａを有する脱脂槽３、熱交換器４ａを有する化成槽４、熱交換器５ａを有する湯洗槽５により構成される塗装前処理装置６と、熱交換器７ａを有する乾燥炉７とを備えている。
熱交換器３ａ、４ａ、５ａは、給湯配管８を介して温水タンク９に並列に接続されている。乾燥炉７はエアダクト１０を介して熱交換器７ａに接続されている。
熱交換器７ａと温水タンク９とは、熱媒油配管１１を介して熱媒油ボイラー２に並列に接続されている。
本実施例に係るバイオマスボイラー熱源の塗装設備においては、熱媒油ボイラー２により３００℃程度まで加熱された高温の熱媒油が熱媒油配管１１を介して熱交換器７ａと温水タンク９とに循環供給される。
温水タンク９で熱媒油により加熱された高温水が給湯配管８を介して熱交換器３ａ、４ａ、５ａに循環供給され、脱脂槽３、化成槽４、湯洗槽５内の処理液や洗浄液を加温する。
熱交換器７ａで加熱された高温空気がエアダクト１０を介して乾燥炉７に循環供給され、被塗物を加熱乾燥させる。
木屑、砂糖黍の絞り滓、とうもろこしの茎等のバイオマスを燃料として使用するバイオマス燃焼炉１は、大気中の二酸化炭素総量の増加による環境汚染を引き起こさない。
高温熱媒油を塗装設備の熱源として使用することにより、水蒸気や空気等の気体を熱源として使用する場合に比べて、熱源体積を減少させて熱源の搬送路を縮径でき、塗装設備を小型化できる。
乾燥炉７に供給する高温空気の熱源として、従来の乾燥炉７に付設したガスバーナーの火炎に代えて高温熱媒油を用いたので、火災発生の危険性が全く無い。
【０００９】
本考案の第２実施例に係るバイオマスボイラー熱源の塗装設備を説明する。
図２に示すように、本実施例に係るバイオマスボイラー熱源の塗装設備は、木屑燃焼炉１と、木屑燃焼炉１の排出熱を使用して熱媒油を加熱する熱媒油ボイラー２と、木屑燃焼炉１の排出熱を使用して水蒸気を発生させる蒸気ボイラー２Ａと、熱交換器３ａを有する脱脂槽３、熱交換器４ａを有する化成槽４、熱交換器５ａを有する湯洗槽５により構成される塗装前処理装置６と、熱交換器７ａを有する乾燥炉７とを備えている。
熱交換器３ａ、４ａ、５ａは、給湯配管８を介して温水タンク９に並列に接続されている。乾燥炉７はエアダクト１０を介して熱交換器７ａに接続されている。
熱交換器７ａは熱媒油配管１１を介して熱媒油ボイラー２に接続されている。温水タンク９は蒸気配管１１Ａを介して蒸気ボイラー２Ａに接続されている。
本実施例に係るバイオマスボイラー熱源の塗装設備においては、熱媒油ボイラー２により３００℃程度まで加熱された高温の熱媒油が熱媒油配管１１を介して熱交換器７ａに循環供給され、蒸気ボイラー２Ａにより１８０℃程度まで加熱された水蒸気が温水タンク９に供給される。
温水タンク９で水蒸気により加熱された高温水が給湯配管８を介して熱交換器３ａ、４ａ、５ａに循環供給され、脱脂槽３、化成槽４、湯洗槽５内の処理液や洗浄液を加温する。
熱交換器７ａで加熱された高温空気がエアダクト１０を介して乾燥炉７に循環供給され、被塗物を加熱乾燥させる。
塗装前処理装置６で使用される薬液や洗浄液の温度は、乾燥炉７で使用される空気の温度に比べて低いことを勘案して、本実施例では前記薬液や洗浄液を加熱するための熱源として水蒸気を用いている。
【００１０】
熱媒油ボイラー２により加熱された高温の熱媒油や水蒸気を、或いは蒸気ボイラー２Ａにより加熱された水蒸気を、電着塗装装置付きの熱交換器に供給して電着塗装装置の薬液を加温しても良く、スプレー式塗装ブース付きの熱交換器に供給して空調用空気を加温しても良く、或いは上記以外の塗装設備の諸装置付熱交換器に供給して前記諸装置で使用される液体や気体を加温しても良い。
バイオマス燃焼炉１の燃料は木屑に限定されない。砂糖黍の搾り滓、トウモロコシの茎等の種々のバイオマスを燃料とすることができる。
バイオマス燃焼炉１と熱媒油ボイラー２、蒸気ボイラー２Ａとは別体でも良く、一体でも良い。
塗装設備は上記実施例の構成に限定されない。被塗物乾燥用の乾燥炉単体、塗装前処理装置単体、塗装装置単体でも、本考案の塗装設備を構成する。
【産業上の利用可能性】
【００１１】
本考案は塗装前処理装置、塗装装置、乾燥炉等を含む塗装設備に広く利用可能である。
【符号の説明】
【００１２】
１  バイオマス燃焼炉
２  熱媒油ボイラー
２Ａ  蒸気ボイラー
３  脱脂槽
４  化成槽
５  湯洗槽
３ａ、４ａ、５ａ  熱交換器
６  塗装前処理装置
７  乾燥炉
７ａ  熱交換器
８  給湯配管
９  温水タンク
１０  ダクト
１１  熱媒油配管
１１Ａ  蒸気配管
【図１】
0003167905.tif 000003
【図２】
0003167905.tif 000004
【手続補正書】
【提出日】平成23年3月11日(2011.3.11)
【手続補正１】
【補正対象書類名】実用新案登録請求の範囲
【補正対象項目名】全文
【補正方法】変更
【補正の内容】
【実用新案登録請求の範囲】
【請求項１】
バイオマス燃焼炉と、熱媒体ボイラーと、熱媒体流路を介して熱媒体ボイラーに接続された熱交換器を有する第１塗装設備、及び／又は、熱媒体流路を介して熱媒体ボイラーに接続された温水タンクと温水流路を介して温水タンクに接続された熱交換器とを有する第２塗装設備を備え、バイオマス燃焼炉で発生した熱が熱媒体ボイラーに供給され、熱媒体ボイラーで加熱された高温熱媒体が第１塗装設備の熱交換器及び／又は第２塗装設備の温水タンクに供給され、第１塗装設備の熱交換器に供給された高温熱媒体が第１塗装設備で使用される液体や気体を加熱し、第２塗装設備の熱交換器に供給された高温熱媒体が温水タンク内の水を加熱し、温水タンク内の高温水が第２塗装設備の熱交換器に供給されて第２塗装設備で使用される液体を加熱することを特徴とするバイオマスボイラー熱源の塗装設備。
【手続補正２】
【補正対象書類名】明細書
【補正対象項目名】０００５
【補正方法】変更
【補正の内容】
【０００５】上記課題を解決するために、本考案においては、バイオマス燃焼炉と、熱媒体ボイラーと、熱媒体流路を介して熱媒体ボイラーに接続された熱交換器を有する第１塗装設備、及び／又は、熱媒体流路を介して熱媒体ボイラーに接続された温水タンクと温水流路を介して温水タンクに接続された熱交換器とを有する第２塗装設備を備え、バイオマス燃焼炉で発生した熱が熱媒体ボイラーに供給され、熱媒体ボイラーで加熱された高温熱媒体が第１塗装設備の熱交換器及び／又は第２塗装設備の温水タンクに供給され、第１塗装設備の熱交換器に供給された高温熱媒体が第１塗装設備で使用される液体や気体を加熱し、第２塗装設備の熱交換器に供給された高温熱媒体が温水タンク内の水を加熱し、温水タンク内の高温水が第２塗装設備の熱交換器に供給されて第２塗装設備で使用される液体を加熱することを特徴とするバイオマスボイラー熱源の塗装設備を提供する。木屑、砂糖黍の絞り滓、とうもろこしの茎等のバイオマスを燃料として使用するバイオマス燃焼炉は、大気中の二酸化炭素総量の増加による環境汚染を引き起こさない。熱源である高温熱媒体として高温熱倍油を使用すれば、水蒸気や空気等の気体を熱源として使用する場合に比べて、熱源体積を減少させることが出来るので熱源の搬送路を縮径でき、塗装設備を小型化できる。塗装設備が乾燥炉である場合、当該乾燥炉に供給する高温空気の熱源として、従来の乾燥炉に付設したガスバーナーの火炎に代えて高温熱媒油を用いることにより、火災発生の危険性を除去できる。